(57)【特許請求の範囲】
【請求項１】
内部を仕切壁により区劃された複数のセル室内に収容された極板群を具備して成る電槽に、蓋板の上面に該電槽のセル室に対応する位置に該蓋板を貫通して配設された排気筒を囲繞し且つ共通の排気孔を有する囲枠を突設して成る電槽蓋を当接結着して施し、蓋板の上面に提げ手の把持杆を嵌合する凹溝を形成され、且つ該蓋板の周縁から下垂する周側壁を形成して成る筐型の排気覆蓋の該周側壁の下縁を、該電槽蓋の該囲枠の上縁に当接結着し、該電槽蓋の該囲枠の左右両側の中間壁部に提げ手を起倒自在に取り付けて成る排気覆蓋を具備した提げ手付き蓄電池において、該電槽蓋の該囲枠の左右両側の中間壁部の上縁とその各中間壁部の前後のコ字状端壁部の上縁との間に段差を設けるように該前後のコ字状端壁部の上縁を切欠いて該中間壁部の上縁より高さの低い水平上縁をもつコ字状端壁部に形成する一方、該排気覆蓋の該周側壁の左右両側の中間壁部に、その下縁を切欠いて、前記の電槽蓋の上面の囲枠に形成した前後に上記の段差縁をもつ左右両側の該中間壁部を嵌合当接するに適した同一形状の凹欠部を形成すると共に、その凹欠部の前後のコ字状端壁部を前記の電槽蓋の上面の囲枠に形成した前後のコ字状壁端部の低位水平上縁の上方のコ字状切欠部に相当する下方延長壁部をもつコ字状端壁部に形成し、該排気覆蓋の該左右両側の該中間壁部に設けた該凹欠部を、該電槽蓋の該囲枠の左右両側の前後に段差縁をもつ該中間壁部に嵌合当接結着すると共に、該排気覆蓋の前後の該コ字状端壁部の該下方延長壁部の水平下縁を該電槽蓋の前後の該コ字状端壁部の低位水平上縁に当接結着すると共に、該電槽蓋の該囲枠に形成した前後に段差をもつ左右両側の該中間壁部に設けた取付部に一対の提げ手を起倒自在に取り付けたことを特徴とする排気覆蓋を具備した提げ手付き蓄電池。
【請求項２】
該電槽の該仕切壁の一部を、セル間接続を行う位置において、該電槽の該周側壁の上縁より上方に突出する梯形状突壁を形成し、該電槽蓋の裏面に設けた該仕切壁の下縁の一部を切欠き、前記の梯形状突壁を嵌合当接するに適した梯形状凹欠部を形成して成る請求項１記載の排気覆蓋を具備した提げ手付き蓄電池。
【発明の詳細な説明】
【０００１】
【発明の属する技術分野】
本発明は、排気覆板を具備した提げ手付き蓄電池に関する。
【０００２】
【従来の技術】
従来、安全性を確保し、且つ持ち運びができるような蓄電池が電気自動車やレジャーなどの電源として使用されている。
図６は、その１例を示し、その構成は次の通りである。即ち、モノブロック式合成樹脂電槽Ａに、該電槽Ａ内の夫々のセル室に対応して蓋板ｂ１に貫通し配設した排気筒に、安全弁、ガスフィルターなどの安全装置を備え、更にその蓋板の上面にこれら排気筒（図示しない）を囲繞して共通の排気孔ｃを有する囲枠Ｃを突設して成る電槽蓋Ｂを、その周側壁ｂ２とその裏面の仕切壁を介して当接結着して施し、該電槽蓋Ｂの該蓋板ｂ１の上面に突出する該囲枠Ｃの上縁Ｃ１に、これらの排気筒の上方の開口上面を被覆するために排気覆蓋Ｄの周縁を当接結着せしめて施して排気覆蓋を備えた蓄電池に構成し、更にこれを手に提げて運び得るようにするため、紐や成形品から成る提げ手部材Ｅのコ字状の両端を該電槽蓋Ｂの幅方向を跨いでその囲枠Ｃの左右両側の中間壁部に設けた取付部Ｆに起倒自在に取り付けて該排気覆蓋Ｄを備えた提げ手付き蓄電池に構成する。この場合、該提げ手部材Ｅの把持部ｅが、その厚さ又は太さ分だけ該排気覆蓋Ｄの上面より上方に突出し、電池全体の高さが高くなることは好ましくない。そこで、図示のように、該排気覆蓋Ｄの上面に該提げ手部材Ｅの該把持部ｅを収容するための凹溝Ｇを該把持部ｅが該蓋上面を横断する幅方向に形成する。かくして、該把持部ｅを、該凹溝Ｇ内に収容することにより、該把持部ｅの不使用時は該排気覆蓋Ｄの上面は平坦面に保たれ、電池の高さもそれだけ低くなるようにした排気覆蓋Ｄを具備した提げ手付き蓄電池が提案されている。
【０００３】
【発明が解決しようとする課題】
しかし乍ら、上記のように、該排気覆蓋Ｄの平坦な蓋板ｄ１に凹溝Ｇを形成するときは、少なくとも該凹溝Ｇを形成するに必要な深さ、即ち、高さだけ該蓋板ｄ１の周縁より下垂する周側壁ｄ２を形成する必要がある。その結果、このような筐型の排気覆蓋Ｄをその周側壁ｄ２の下縁ｄ２１を該電槽蓋Ｂの該囲枠Ｃの上縁Ｃ１に当接結着せしめて図６に明示のような排気覆蓋を具備した提げ手付き蓄電池に構成されることとなる。従って、該電槽蓋Ｂの上面の排気用囲枠Ｃの上方に排気覆蓋Ｄの蓋板ｄ１の裏面との間にその排気覆蓋Ｄの該周側壁ｄ２の高さ分だけ、蓄電池の機能に関与しないデッドスペースを生じ、また、それだけ該排気覆蓋を具備した蓄電池の高さが高くなり、容積効率が低下し、更には排気覆蓋の合成樹脂成形に必要な樹脂量が多くなり、該蓄電池の重量が増加するなどの不都合を生ずる。
従って、上記のデッドスペースを可及的になくし、容積効率を増大し、その筺型の排気覆蓋の高さを低くし、排気覆蓋を具備した蓄電池の高さを低くし且つ軽量とすることができるようにすることが望ましい。
【０００４】
【課題を解決するための手段】
上記の課題を解決し、上記の要望を満足した本発明の排気覆蓋を具備した提げ手付き蓄電池は、内部を仕切壁により区劃された複数のセル室内に収容された極板群を具備して成る電槽に、蓋板の上面に該電槽のセル室に対応する位置に該蓋板を貫通して配設された排気筒を囲繞し且つ共通の排気孔を有する囲枠を突設して成る電槽蓋を当接結着して施し、蓋板の上面に提げ手の把持杆を嵌合する凹溝を形成され、且つ該蓋板の周縁から下垂する周側壁を形成して成る筐型の排気覆蓋の該周側壁の下縁を、該電槽蓋の該囲枠の上縁に当接結着し、該電槽蓋の該囲枠の左右両側の中間壁部に提げ手を起倒自在に取り付けて成る排気覆蓋を具備した提げ手付き蓄電池において、該電槽蓋の該囲枠の左右両側の中間壁部の上縁とその各中間壁部の前後のコ字状端壁部の上縁との間に段差を設けるように該前後のコ字状端壁部の上縁を切欠いて該中間壁部の上縁より高さの低い水平上縁をもつコ字状端壁部に形成する一方、該排気覆蓋の該周側壁の左右両側の中間壁部に、その下縁を切欠いて、前記の電槽蓋の上面の囲枠に形成した前後に上記の段差縁をもつ左右両側の該中間壁部を嵌合当接するに適した同一形状の凹欠部を形成すると共に、その凹欠部の前後のコ字状端壁部を前記の電槽蓋の上面の囲枠に形成した前後のコ字状壁端部の低位水平上縁の上方のコ字状切欠部に相当する下方延長壁部をもつコ字状端壁部に形成し、該排気覆蓋の該左右両側の該中間壁部に設けた該凹欠部を、該電槽蓋の該囲枠の左右両側の前後に段差縁をもつ該中間壁部に嵌合当接結着すると共に、該排気覆蓋の前後の該コ字状端壁部の該下方延長壁部の水平下縁を該電槽蓋の前後の該コ字状端壁部の低位水平上縁に当接結着すると共に、該電槽蓋の該囲枠に形成した前後に段差をもつ左右両側の該中間壁部に設けた取付部に一対の提げ手を起倒自在に取り付けたことを特徴とする。
【０００５】
更に、請求項２に記載の本発明によれば、上記の構成において、該電槽の該仕切壁の一部をセル間接続を行う位置において、該電槽の該周側壁の上縁より上方に突出する梯形状突壁を形成し、該電槽蓋の裏面に設けた各仕切壁の下縁の一部を切欠き、前記の梯形状突壁を嵌合当接するに適した梯形状凹欠部を形成して成り、これにより更に背の低い排気覆蓋を具備した提げ手付き蓄電池が得られる。
【０００６】
【発明の実施の形態】
図１は、本発明の実施の１例の排気被覆蓋を具備した提げ手付き蓄電池を示す。図２は、その分解斜視図を示すが、説明の便宜上、電槽内部の電池要素の図は省略した。
図面で１は、モノブロック式合成樹脂成形電槽、１ａは電槽１の周側壁、１ｂは該周側壁１ａと同じ高さを有する仕切壁、１ｃはセル室を示す。各セル室１ｃ内には図示しないが、セパレータを介して正，負極板を交互に複数枚積層して成る極板群が収容され、これら該仕切壁１ｂの夫々に１側又は他側に交互に設けた貫通孔１ｄを介して、相隣る極板群の対向する陰極耳列を接続するストラップの耳と陽極耳列を接続するストラップの耳とを抵抗溶接によりセル間接続し、直列接続されたその両端のセル室１ｃ内の極板群より、陰極柱と陽極柱を電槽１より上方に突出させ、電槽１上面に施された蓋板２ａとその周縁より下垂する周側壁２ｂとから成る筐型の合成樹脂成形電槽蓋２の該蓋板２ａに設けた極柱挿通孔２ｃ，２ｃに挿通し、蓋板２ａの上面に突出して夫々の端子を形成する。
尚、該筐型の電槽蓋２の裏面には、電槽１の仕切壁１ｂ，１ｂ，…に対応する位置に仕切壁２ｄ，２ｄ，…を突設し、その蓋板２ａに、該電槽１のセル室１ｃ，１ｃ，…に対応する位置に筒状の排気孔、即ち、排気筒３，３，…を貫通突設する。各該排気筒３には、ゴム製の帽状の安全弁、ガスフィルターなどの安全弁装置４を装着する。更に、該蓋板２ａの上面には、これらの排気筒３，３，…を囲繞する共通の排気用空間５を内部に囲い形成した囲枠６を合成樹脂成形により一体に突設し、該囲枠６の１側壁には、該排気筒３，３，…の列の中央に位置して共通の排気孔７を有する。更に、該囲枠６の排気用空間５の上面を被覆するべく、その囲枠６に、次のような筐型の合成樹脂成形排気覆蓋８が施される。即ち、該排気覆蓋８は、矩形状の長さ方向の前後に位置して、成形壁を下向きに屈曲して一対の断面コ字状、円弧状の凹溝９，９が形成された肉薄の蓋板８ａとその蓋板８ａの周縁より少なくとも該凹溝９成形部の深さ、即ち、高さ下垂する周側壁８ｂとから成り、その周側壁８ｂの下縁１０を前記の囲枠６の上縁１１に当接し接着剤又は熱溶着により結着せしめる。更に、その囲枠６の幅方向の左右両側の中央壁部６ａ，６ａには、紐や成形品から成るコ字状とした一対の提げ手１２，１２の夫々の両腕部１２ａ，１２ａの端部を取り付ける孔又は突起からなる取付部１３，１３に起倒自在に取り付け、その夫々の把持部１２ｂ，１２ｂを該凹溝９，９に不使用時は収納し、該蓋板８ａの上面を平坦面に維持するようにした。こゝまでの構成は、図６示の従来の排気覆蓋を具備した提げ手付き蓄電池と変わらない。
【０００７】
本発明は、上記の式の蓄電池における排気覆蓋８を該電槽蓋２に施したとき、該排気覆蓋８の裏面のデッドスペースを可及的になくし、蓄電池の高さを低くでき、容積効率を向上せしめ、軽量且つコンパクトな蓄電池をもたらすべく次のように構成した。即ち、図２に明示のように、該電槽蓋２の該囲枠６の左右両側の中間壁部６ａ，６ａの上縁１１ａとその前後のコ字状端壁部６ｂ，６ｂの上縁１１ｂ，１１ｂとの間に段差１４を設けると共に、該前後のコ字状端壁部６ｂ，６ｂの上縁１１ｂ，１１ｂを切欠いて、該中間壁部６ａ，６ａの上縁１１ａより高さの低い水平上縁１１ｂ，１１ｂをもつコ字状端壁部６ｂ，６ｂに形成する一方、該排気覆蓋８の該周側壁８ｂの左右両側の中間壁部８ｂ１，８ｂ１の下縁を切欠いて、前記の電槽蓋２の該囲枠６の前後に段差縁１４，１４をもつ左右両側の該中間壁部６ａ，６ａを嵌合当接するに適した同一形状の凹欠部１５，１５を形成すると共に、その凹欠部１５，１５の前後のコ字状端壁部８ｂ２，８ｂ２を、前記の電槽蓋２の前後のコ字状端壁部６ｂ，６ｂの低位水平上縁１１ｂ，１１ｂの上方のコ字状切欠部１６，１６に相当する下方延長壁部１７，１７をもつコ字状端壁部８ｂ２，８ｂ２に形成する。かくして、該凹欠部１５，１５は、該排気覆蓋８の該蓋板８ａの下縁１０を裏面近傍まで達するべく切欠いて下縁１０ａを成形し、その上方の該中間壁部８ｂ１，８ｂ１は殆ど高さのないものに形成される。
【０００８】
而して、このように形成した該排気覆蓋８の該左右両側の前後に段差縁１４，１４をもつ該中間壁部８ｂ１，８ｂ１に設けた該凹欠部１５，１５に、該電槽蓋２の該囲枠６の左右両側の該中間壁部６ａ，６ａを嵌合し、接着剤又は熱溶着により当接結着すると共に、該電槽蓋２の前後の該コ字状端壁部６ｂ，６ｂの低位水平上縁１１ｂ，１１ｂに該排気覆蓋８の前後の該下方延長壁部１７，１７をもつ該コ字状端壁部８ｂ２，８ｂ２の水平下縁１０ｂ，１０ｂを当接し、接着剤又は熱溶着により結着する一方、該電槽蓋２の該囲枠６に形成した前後に段差縁１４,１４をもつ左右左右両側の該中間壁部６ａ，６ａに設けた取付部１３，１３ に一対の提げ手１２，１２を起倒自在に取り付けるようにすると共に、該提げ手１２，１２の不使用時はその把持部１２ｂ，１２ｂを該排気覆蓋８の該凹溝９，９内に収容されるようにして図１示の本発明の蓄電池が得られる。
【０００９】
尚、図示のように、該電槽蓋２の蓋板２ａの上面に突設した囲枠６の左右両側の中間壁部６ａ，６ａの前後の段差縁１４，１４は、斜め上向きの傾斜縁とし、各該中間壁部６ａは、全体として水平上縁１１ａと傾斜段差縁１４，１４から成る梯形状の中間壁部６ａ，６ａに形成する一方、該排気覆蓋８の周側壁８ｂの左右両側の中間壁部８ｂ１，８ｂ１に設ける凹欠部１５，１５は、前記の梯形状中間壁部６ａ，６ａと同一形状に、水平下縁１０ａ及び斜め下向きの傾斜段差縁１６，１６とから成る梯形状凹欠部とすることが好ましく、これにより、互いに強固な当接結着が得られる。
【００１０】
このように、本発明の蓄電池によれば、図１に明らかなように、該電槽蓋２の該囲枠６のコ字状端壁部６ｂ，６ｂの上縁１１ｂ，１１ｂは、その中間壁部６ａ，６ａの上縁１１ａよりも段差１４，１４分だけ低くなり、該排気覆蓋８の高さの殆どない中間壁部８ｂ１，８ｂ１の下方に形成した該凹欠部１５，１５に該囲枠６の左右両側の該中間壁部６ａ，６ａが嵌め込まれるので、その前後の下方延長壁部１７，１７をもつコ字状端壁部８ｂ２，８ｂ２の下縁１０ｂ，１０ｂは、該囲枠６の前後のコ字状端壁部６ｂ，６ｂの低位水平上縁１１ｂ，１１ｂまで下げられる。その結果、該排気覆蓋８の前後のコ字状端壁部８ｂ２，８ｂ２の下方延長壁部１７，１７は、排気用空間５を囲繞する囲枠６の一部を構成することゝなる一方、該排気覆蓋８の凹溝９，９の位置を、該囲枠６の左右両側の中間壁部６ａ，６ａの上縁１１ａ，１１ａと略同じレベルまで下げることができ、その排気覆蓋８の中間壁部８ｂ１，８ｂ１に設けた該凹欠部１５，１５は、蓋板８ａの裏面に近くまで深く切欠き形成されているので、該排気覆蓋８の該中間壁部８ｂ１，８ｂ１の高さは殆どないので、該凹欠部１５，１５の水平下縁１０ａ，１０ａが囲枠６の中間壁部６ａの水平上縁１１ａに当接したとき、殆ど高さのない排気覆蓋８の中間壁部８ｂ１，８ｂ１に対応して、該囲枠６の中間壁部６ａ，６ａの上方の該排気覆蓋８の蓋板８ａの裏面との間に形成されるデッドスペースは殆どなくなり、図６示のように、従来、該電槽蓋Ｂの該囲枠Ｃと該筐型の排気覆蓋Ｄの裏面との間に形成されていた無駄なデッドスペースを実質上なくすことができ、電池の容積効率を向上でき、また軽量で且つ安価な蓄電池が得られる。
【００１１】
図３乃至図５は、本発明の他の実施例を示す。即ち、上記の本発明の蓄電池において、電槽内の極板群の上方の電槽蓋の裏面との間の空間高さを小さくして、更に、背の低い容積効率の増大した排気覆蓋を具備した提げ手付き蓄電池を示す。上記の実施例と同じ構成部材については、同じ参照番号を付した。
図面で１８は電槽１の各セル室１ｃ内の極板群、１９，２０は互いに異極性の極板の耳、２１，２２はこれら耳列を接続するストラップ、２１ａ，２２ａは仕切壁１ｂに設けた貫通孔１ｄの両側に対向する接続されるストラップの立上がり耳、これら耳２１ａ，２２ａは、抵抗溶接により該貫通孔１ｄを介してセル間接続されている。このような構成は、図示しないが、前の実施例においても具備している。
この実施例においては、一列に並んだ安全装置４を備えた各排気筒３の外側には共通の排気孔７に導く案内通路を形成する案内溝枠２３が形成されている。該溝枠２３内には、図示しないが、ガスフィルターを介在させることが好ましい。  また、互いに異極性の円柱状極柱Ｇ，Ｈは、筺型の電槽蓋２の蓋板２ａに夫々鋳込んだ鉛ブッシング２４の挿通孔内に嵌め込んでその頂面で互いに溶接される。その鉛ブッシング２４は、蓋板２ａに水平に鋳込んだ柱状の端子接続杆２５に接続され、その端子接続杆２５の先端に接続して一方の極性ボルト端子２６を植設したものである。２７は、他方の極柱Ｇに接続した他方の極性の端子を示す。
【００１２】
本発明によれば、図４、図５に明示のように、各仕切壁１ｂを、その両側の極板群をストラップ２１，２２を介してセル間接続する位置において、電槽１の周側壁１ａより上方に突出し、左右に傾斜段差縁２８，２８を有する梯形状の突壁２９を設ける一方、該電槽蓋２の蓋板２ａの裏面の仕切壁２ｄの下縁を切欠いて、前記の梯形状の突壁２９を嵌め込み、当接するに適した同一形状の左右に傾斜段差縁をもつ梯形状の凹欠部３０を形成し、この突出壁２９の両面にストラップの耳２１ａ，２２ａを対向当接し、該貫通孔１ｄを介して抵抗溶接によりセル間接続を行うようにした。従って、極板群１８全体の高さを高くでき、従って、極板群１８の上方の電槽蓋２の蓋板２ａの裏面との間の空間高さｈを小さくすることができ、前記の電槽蓋２と該排気覆蓋８裏面との間のデッドスペースをなくしたことと相俟って此の種の蓄電池の容積効率の向上、全体の高さの低下をもたらし有利である。電槽１と電槽蓋２との当接結着において、該梯形状突壁２９と該梯形状凹欠部３０とは、互いに嵌合当接して接着剤又は熱溶着で結着しせめる。
【００１３】
【発明の効果】
このように請求項１に係る発明によるときは、電槽に施される電槽蓋の排気用囲枠の上縁に段差を設け、その両側の中間壁部より低いコ字状壁部とし、上面に提げ手部材の把手部を収納する凹溝を形成した筐型の排気覆蓋の周側壁をその両側の中間壁部に設けた凹欠部を、該電槽蓋の囲枠の前後に段差縁を形成された中間壁部に嵌合し、その前後のコ字状中間壁部の下方延長壁部の下縁を、該電槽蓋の該囲枠の低位上縁に当接するようにしたので、電槽蓋の上面に突設した囲枠と該囲枠の上方の筺型排気覆蓋の裏面との間にデッドスペースが殆どない、高さが低くなり、容積効率が増大し、且つ軽量、安価な排気覆蓋を具備した提げ手付き蓄電池が得られる。
請求項２に係る発明によれば、電槽内の仕切壁の一部を電槽の周側壁より上方に突出させた梯形状の突出壁を設け、電槽蓋の蓋板の裏面の仕切壁の下縁に、この梯形状突出壁を嵌め込み当接するに適した凹欠部を設けたので、この梯形状の突出壁に該梯形状の凹欠部を互いに嵌合当接するときは、極板群の上方の電槽蓋の蓋板の裏面との間の空間高さを小さくすることができ、更に、容積効率の増大をもたらす。
【図面の簡単な説明】
【図１】本発明の排気覆蓋を具備した提げ手付き蓄電池の実施の１例の側面図。
【図２】図１示の蓄電池の一部を裁除した分解斜視図。
【図３】本発明の他の実施例の排気覆蓋を具備した提げ手付き蓄電池の他例の一部を裁除した平面図。
【図４】図３示の本発明の蓄電池の一部を裁除した側面図。
【図５】図４のＶ−Ｖ線裁断面図。
【図６】従来の排気覆蓋を具備した提げ手付き蓄電池の正面図。
【符号の説明】
１  電槽                １ａ  周側壁            １ｂ  仕切壁
１ｃ  セル室            １ｄ  貫通孔            ２  電槽蓋
２ａ  蓋板              ２ｂ  周側壁            ２ｄ  仕切壁
３  排気筒              ６  囲枠                ６ａ  囲枠の中間壁部
６ｂ  コ字状端壁部      ７  共通の排気孔        ８  排気覆蓋
８ａ  蓋板              ８ｂ  周側壁
８ｂ１  排気覆蓋の中間壁部          ８ｂ２  排気覆蓋のコ字状端壁部
９  凹溝                            １０  排気覆蓋の周側壁の下縁
１０ａ  中央壁部の下縁              １１  囲枠の上縁
１１ａ  囲枠の中間壁部の上縁
１１ｂ  囲枠のコ字状端壁部の低位水平上縁        Ｓ コ字状切欠部
１２，１２  提げ手      １２ｂ  把持部          １３  取付部
１４  段差、段差縁      １５  凹欠部            １６  傾斜段差縁
１７  下方延長壁部                  １８  極板群
１９，２０  異極性の極板の耳        ２１，２２  耳列接続ストラップ
２１ａ，２２ａ  立上がり耳          ２８  傾斜段差
２９  梯形状突壁                    ３０  梯形状凹欠部
【図１】
0003558810.tif 000002
【図２】
0003558810.tif 000003
【図３】
0003558810.tif 000004
【図４】
0003558810.tif 000005
【図５】
0003558810.tif 000006
【図６】
0003558810.tif 000007